(57)【要約】      （修正有）【課題】商品を収納した包装用箱においてその蓋である蓋部が容易に開くことのない包装用箱を提供する。【解決手段】包装用箱１０は、開口部を具備する箱本体２０と、開口部を塞ぐフラップ部４０と、開口部を塞ぐ蓋部５０と、開口部に侵入する差込部６０と、を有する。さらに、フラップ部は、差込部と係合する係合部４１と、を有し、差込部は、係合部との係合を維持するための係合維持部７０と、を有する。包装用箱におけるフラップ部は、開口部を塞ぎ、かつ蓋部は、フラップ部を押さえるとともに、差込部は、開口部に侵入するときに、係合維持部は箱本体と接することで、差込部と係合部との係合を維持するというものである。【選択図】図１
0003224753.tif 000002
【実用新案登録請求の範囲】
【請求項１】
開口部を具備する箱本体と、
前記開口部を塞ぐフラップ部と、
前記開口部を塞ぐ蓋部と、
前記開口部に侵入する差込部と、を有し、
前記フラップ部は、前記差込部と係合する係合部と、を有し、
前記差込部は、前記係合部との係合を維持するための係合維持部と、を有し、
前記フラップ部は、前記開口部を塞ぎ、かつ前記蓋部は、前記フラップ部を押さえるとともに、前記差込部は、前記開口部に侵入するときに、前記係合維持部は、前記箱本体と接することで、前記差込部と前記係合部との係合を維持する包装用箱。
【請求項２】
開口部を具備する箱本体と、
前記開口部を塞ぐ蓋部と、
前記開口部を塞ぐ第２蓋部と、
前記開口部に侵入する第２差込部と、を有し、
前記第２蓋部は、前記第２差込部と係合する第２係合部と、を有し、
前記第２差込部は、前記第２係合部との係合を維持するための第２係合維持部と、を有し、
前記開口部を前記第２蓋部が塞ぎ、かつ前記蓋部が、前記第２蓋部を押さえるとともに、前記第２差込部は、前記開口部に侵入するときに、前記第２係合維持部は、前記箱本体と接することで、前記第２差込部と前記第２係合部との係合を維持する包装用箱。
【請求項３】
前記係合維持部は、前記差込部と一体に構成され、前記係合維持部と前記差込部は、折り曲げるための係合維持折り線によって仕切られている請求項１記載の包装用箱。
【請求項４】
前記第２係合維持部は、前記第２差込部と一体に構成され、前記第２係合維持部と前記第２差込部は、折り曲げるための係合維持折り線によって仕切られている請求項２記載の包装用箱。
【考案の詳細な説明】
【技術分野】
【０００１】
本考案は、商品等を収納するための包装用箱に関するものである。
【背景技術】
【０００２】
商品等を収納するための包装用箱は、紙片やダンボールなどを、抜き型で所定形状に抜き加工し、それを組み立ていることで、作成する。このような包装用箱は、使用時に簡単に組み立てて使用することができる。
【０００３】
このような包装用箱は組み立てが簡単であることにより多くの商品の包装に使用されているが、その商品を輸送時において、その商品を収納した包装用箱の蓋が外れてしまう場合がある。
【０００４】
例えば、特開２００２−１２８０６８号公報において、図１に示すように、本体１の部分と蓋２の部分とから成るブランクでは、前壁３の一側に側壁４及び後壁５が、他側に側壁４及び継代片６がそれぞれ連設されている。前壁３の下縁には底壁７及び差込片８が順次連設され、側壁４の下縁には折曲片９が、後壁５の下縁には底重板１０がそれぞれ連設されている。この折曲片９を内側へ折り曲げ、底壁７を閉じて差込片８を箱内に差し込み、底重板１０を底壁７に貼り着けて、本体１を形成することが開示されている。このとき、差込片８が、折曲片９と係合することによって、本体１の開口部を底壁７によって塞がれている。
【０００５】
しかしながら、商品を、その本体１である包装用箱に収納した場合に、その輸送時においてその商品が、その底壁７に相当する包装用箱の蓋である蓋部に衝突することで開いてしまう場合があり、その対策が求められている。
【先行技術文献】
【特許文献】
【０００６】
【特許文献１】特開２００２−１２８０６８号公報
【考案の概要】
【考案が解決しようとする課題】
【０００７】
本考案は前記の点に着目してなされたもので、その課題は、商品を収納した包装用箱においてその蓋である蓋部が容易に開くことのない包装用箱を提供することである。
【課題を解決するための手段】
【０００８】
前記の課題を解決するために、第１観点の包装用箱は、開口部を具備する箱本体と、開口部を塞ぐフラップ部と、開口部を塞ぐ蓋部と、開口部に侵入する差込部と、を有し、フラップ部は、差込部と係合する係合部と、を有し、差込部は、係合部との係合を維持するための係合維持部と、を有し、フラップ部は、開口部を塞ぎ、かつ蓋部は、フラップ部を押さえるとともに、差込部は、開口部に侵入するときに、係合維持部は箱本体と接することで、差込部と係合部との係合を維持するというものである。
【０００９】
また、第２観点の包装用箱は、開口部を具備する箱本体と、開口部を塞ぐ蓋部と、開口部を塞ぐ第２蓋部と、開口部に侵入する第２差込部と、を有し、第２蓋部は、第２差込部と係合する第２係合部と、を有し、第２差込部は、第２係合部との係合を維持するための第２係合維持部と、を有し、開口部を第２蓋部が塞ぎ、かつ蓋部が、第２蓋部を押さえるとともに、第２差込部は、開口部に侵入するときに、第２係合維持部は、箱本体と接することで、第２差込部と第２係合部との係合を維持するというものである。
【００１０】
また、第３観点の包装用箱は、第１観点において、係合維持部は、差込部と一体に構成され、係合維持部と差込部は、折り曲げるための係合維持折り線によって仕切られているというものである。
【００１１】
また、第４観点の包装用箱は、第２観点において、第２係合維持部は、第２差込部と一体に構成され、第２係合維持部と第２差込部は、折り曲げるための係合維持折り線によって仕切られているというものである。
【考案の効果】
【００１２】
本考案は以上のように構成され、かつ、作用するものであるから、商品を収納した包装用箱においてその蓋である蓋部が容易に開くことのない包装用箱を提供することができる。
【図面の簡単な説明】
【００１３】
【図１】包装用箱の展開図である。
【図２】包装用箱を組み立てた状態を示す斜視図である。
【図３】Ａは、包装用箱を組み立てて、蓋部を閉じた状態を示す斜視図である。Ｂは、Ａの背面斜視図である。
【図４】Ａは、図３ＡのＩＶＡ―ＩＶＡ線端面図である。Ｂは、図３ＡのＩＶＢ―ＩＶＢ線端面図である。
【図５】Ａは、図４ＡのＶＡ―ＶＡ線拡大端面図である。Ｂは、図４ＢのＶＢ―ＶＢ線拡大端面図である。
【図６】第２実施例の包装用箱の展開図である。
【図７】第２実施例の包装用箱を組み立てた状態を示す斜視図である。
【図８】Ａは、第２実施例の包装用箱を組み立てて、蓋部を閉じた状態を示す斜視図である。Ｂは、Ａの背面斜視図である。
【図９】Ａは、図８ＡのＶＩＩＩＡ―ＶＩＩＩＡ線端面図である。Ｂは、図８ＡのＶＩＩＩＢ―ＶＩＩＩＢ線端面図である。
【図１０】Ａは、図９ＡのＩＸＡ―ＩＸＡ線拡大端面図である。Ｂは、図９ＢのＩＸＢ―ＩＸＢ線拡大端面図である。
【考案を実施するための最良の形態】
【００１４】
以下、図示の実施形態を参照して第１実施例について説明する。第１実施例の包装用箱１０は、箱本体２０と、フラップ部４０、４０と、蓋部５０と、差込部６０と、係合維持部７０と、を有する。これらは、１連の紙片またはシートを所定の形状に抜き加工することによって構成することができる。
【００１５】
箱本体２０は、直方体形状を呈するものであり、その一端に、上記蓋部５０に閉塞されていない状態において、図示しない商品を挿入するための開口部３０を有するものである。また、箱本体２０は、第１側面部２１と第２側面部２２と、第３側面部２３と、第４側面部２４と、貼り付け部２５とを有するものである。また、開口部３０は、第１側面部２１と第２側面部２２と、第３側面部２３と、第４側面部２４と、に囲まれている。
【００１６】
また、第１側面部２１と、第２側面部２２と、第３側面部２３と、第４側面部２４と、貼り付け部２５と、のそれぞれの境界線に配置された、第１折り線２２ａと、第２折り線２３ａと、第３折り線２４ａと、第４折り線２５ａとを有する。これらは文字通り、１連の紙片またはシートをそれらの線に従って折り曲げるためのものであり、これらを折り曲げ、貼り付け部２５を第１側面部２１の裏面に貼り付けることで、開口部３０を有する箱本体２０を構成することができる（図２参照）。
【００１７】
開口部３０を塞ぐフラップ部４０、４０は、第１側面部２１と第３側面部２３に接続するように配置されている。フラップ部４０と第１側面部２１、および、フラップ部４０と第３側面部２３との境界に配置された第５折り線４０ａ、４０ａを、文字通り折り曲げすることで、フラップ部４０、４０を構成することができる。フラップ部４０、４０は、開口部３０を挟んで互いに対向するように、第１側面部２１および第３側面部２３にそれぞれ配置されている。
【００１８】
蓋部５０は、第４側面部２４に接続するように配置され、第６折り線５０ａを折り曲げすることで構成されている。また、差込部６０は、蓋部５０に接続するように配置され、第７折り線６０ａを折り曲げすることで構成されている。さらに係合維持部７０は、差込部６０に接続するように配置され、係合維持折り線７０ｂを、折曲げすることで構成されている。すなわち、第４側面部２４と蓋部５０と差込部６０と係合維持部７０は、一体に構成されている。
【００１９】
また、係合部４１は、フラップ部４０の一辺として構成されている。開口部３０、３０を有する箱本体２０として組み立てたときに、係合部４１は、第２側面部２２の直下に位置している（図２参照）。また、差込部６０は、切り込み線である切込み部６１、６１を有し、これが差込部６０において切り込まれているために、差込部６０における切込み部６１、６１が、係合部４１、４１とそれぞれ係合する。
【００２０】
上記構成の第１実施例の包装用箱１０における、開口部３０を有する箱本体２０において、フラップ部４０、４０を、第５折り線４０ａ、４０ａにそって折り曲げすることにより、そのフラップ部４０、４０は、その開口部３０を塞ぐことができる。尚、フラップ部４０、４０は、開口部３０の一部を塞ぐというものであってもよい。
【００２１】
さらに、蓋部５０は、第６折り線５０ａを折り曲げすることで、第５折り線４０ａ、４０ａにそって折り曲げされたフラップ部４０、４０を、押さえるように配置する。
【００２２】
さらに、差込部６０は開口部３０に侵入することで、その差込部６０における切込み部６１、６１が、フラップ部４０、４０の一辺として構成されている係合部４１、４１と、それぞれ係合することで、その差込部６０が、開口部３０から抜けにくい構成となる。
【００２３】
さらに、上記のとおり、第１実施例の包装用箱１０は、係合維持部７０を有するので、開口部３０に侵入した差込部６０が、箱本体２０に接した係合維持部７０によって、その差込部６０が包装用箱１０の内部方向に押圧された状態となることで、差込部６０における切込み部６１、６１と、フラップ部４０、４０の一辺として構成されている係合部４１、４１との係合が維持されることになる。
【００２４】
すなわち、仮に、図示しないが、係合維持部７０を有しない場合は、差込部６０における切込み部６１、６１と、フラップ部４０、４０の一辺として構成されている係合部４１、４１とが、当初は係合することで、差込部６０が、開口部３０から抜けにくい構成となっている。
【００２５】
しかしながら、包装用箱１０に図示しない商品を収納した状態で、輸送時における振動により、蓋部５０における折り曲げられた第６折り線５０ａが、いわばスプリングバックすることで、差込部６０が、箱本体２０の内部から外部方向へ（例えば、図５Ａ、ＢのＸ方向と反対の方向）移動することによって、切込み部６１、６１と、係合部４１、４１との係合が解除され、差込部６０が開口部３０から抜け出る恐れがある。
【００２６】
差込部６０に接続するように係合維持折り線７０ｂを、折り曲げることで構成された係合維持部７０は、その折り曲げられた係合維持折り線７０ｂがいわばスプリングバックすることにより、その差込部６０を、箱本体２０の外部から内部方向へ（図５Ａ、ＢのＸ方向参照）押圧されることで、切込み部６１、６１と、係合部４１、４１との係合が維持され、差込部６０が開口部３０から抜け出ることを防止することができる。
【００２７】
次に第２実施例の包装用箱１００について説明する。第１実施例の包装用箱１０と第２実施例の包装用箱１００はほぼ同様の構成であり、その相違点について、第２実施例の包装用箱１００は、開口部３０を塞ぐ第２蓋部１５０を有することである。また、第２蓋部１５０は、第２係合部１５１とを有する。なお、第１実施例の包装用箱１０と第２実施例の包装用箱１００と同様の点については、同一の符号を付しその説明を省略することがある。
【００２８】
第２蓋部１５０は、第２側面部２２に接続するように構成され、第２側面部２２と一体に構成されている。第２側面部２２と第２蓋部１５０との境界を画定する第２蓋折り部１５０ａを介して、第２蓋部１５０が構成されている。また、第２係合部１５１は、第２蓋折り部１５０ａにそって構成された切り込みであり、その第２蓋折り部１５０ａより幅方向が短く構成されている。
【００２９】
また、第２実施例の包装用箱１００における第２差込部１６０は、切り込みである第２係合部１５１に侵入することができる幅である。従って、第２差込部１６０の最大幅は、切り込みである第２係合部１５１の幅よりも小である。
【００３０】
また、第２差込部１６０における第２切込み部１６１、１６１が、第２差込部１６０における幅方向に沿うように配置され、その幅方向の中央部１６２は、第２差込部１６０と第２蓋部１５０が接続されている構成である。また、第２差込部１６０は、第２係合維持部１７０が接続されている構成である。すなわち、第４側面部２４と第２蓋部１５０と第２差込部１６０と第２係合維持部１７０は、一体に構成されている。
【００３１】
上記構成の第２実施例の包装用箱１００において、開口部３０を有する箱本体２０において、フラップ部４０、４０を、第５折り線４０ａ、４０ａにそって折り曲げすることにより、そのフラップ部４０、４０は、開口部３０を塞ぐことができる。
【００３２】
次に、第２蓋部１５０との境界を画定する第２蓋折り部１５０Ａを折り曲げすることで、第５折り線４０ａ、４０ａにそって折り曲げられたフラップ部４０、４０を、押さえるように配置する。
【００３３】
さらに、蓋部５０を、第６折り線５０ａにそって折り曲げすることで、第２蓋部１５０押さえるように配置する。このとき、第２差込部１６０は、切り込みである第２係合部１５１に侵入することによってさらに開口部３０に侵入する。これにより、その第２差込部１６０と第２係合部１５１が係合する。すなわち、その第２差込部１６０における第２切込み部６１、６１が、第２係合部１５１と、係合する。これにより、第２差込部１６０が、開口部３０から抜けにくい構成となる。
【００３４】
さらに、上記のとおり、第２実施例の包装用箱１００は、第２係合維持部１７０を有するので、その第２係合維持部１７０は、箱本体２０に接した状態となり、その係合維持部７０によって、開口部３０に侵入した第２差込部１６０は、第２実施例の包装用箱１００の箱本体２０の外部から内部方向へ（図１０Ａ、ＢのＸ方向参照）押圧された状態となることで、第２差込部１６０における第２切込み部１６１、１６１と、第２蓋部１５０における第２係合部１５１との係合が維持されることになる。
【００３５】
すなわち、仮に、図示しないが、第２係合維持部１７０を有しない場合は、第２差込部１６０における第２切込み部１６１、１６１と、第２蓋部１５０における第２係合部１５１とが、当初は係合することで、第２差込部１６０が、開口部３０から抜けにくい構成となっている。しかしながら、包装用箱１００に図示しない商品を収納した状態で、輸送時における振動により、蓋部５０における折り曲げられた第６折り線５０ａが、いわばスプリングバックすることで、第２差込部１６０が、内部から外部方向へ（例えば、図１０Ａ、ＢのＸ方向と反対の方向）移動することによって、第２切込み部１６１、１６１と、第２係合部１５１との係合が解除され、第２差込部１６０が開口部３０から抜け出る恐れがある。
【００３６】
しかしながら、第２係合維持部１７０がその折り曲げられた係合維持折り線１７０ｂにおいていわばスプリングバックすることにより、その第２差込部１６０を、箱本体２０の内側へ押圧する。これにより、第２切込み部１６１、１６１と、第２係合部１５１との係合が維持され、これらが解除されることを防止することができるのである。よって、第２差込部１６０が開口部３０から抜け出ることを防止することができる。尚、他の第２差込部１６０′と他の第２係合維持部１７０′（図６参照）は、その形状がほぼ半円形であり、ほぼ三角形状の第２差込部１６０と第２係合維持部１７０とその形状は異なるが、第２係合部１５１に差し入れる際の抵抗力はほぼ同様である。
【符号の説明】
【００３７】
１０  第１実施例の包装用箱
２０  箱本体
３０  開口部
４０  フラップ部
４１  係合部
５０  蓋部
６０  差込部
６１  切込み部
７０  係合維持部
７０ｂ  係合維持折り線
１００  第２実施例の包装用箱
１５０  第２蓋部
１５１  第２係合部
１６０  第２差込部
１６１  第２係合部
１７０  第２係合維持部
【図１】
0003224753.tif 000003
【図２】
0003224753.tif 000004
【図３】
0003224753.tif 000005
【図４】
0003224753.tif 000006
【図５】
0003224753.tif 000007
【図６】
0003224753.tif 000008
【図７】
0003224753.tif 000009
【図８】
0003224753.tif 000010
【図９】
0003224753.tif 000011
【図１０】
0003224753.tif 000012